(57)【要約】【課題】室内のレイアウト変更に伴う適切な照明状態の形成を容易に実現することができるＬＥＤ照明システムを提供する。【解決手段】天井側に給電ダクトレール１が水平方向に延びるように設けられ、該給電ダクトレール１に、ライン形ＬＥＤモジュール２が、ダクトレール１の延びる方向に移動可能でかつ鉛直軸線回りで回転可能に、水平に取り付けられ、ライン形ＬＥＤモジュール２は、給電ダクトレール１からの給電を受けて発光するようになされている。ライン形ＬＥＤモジュール２は、その照射方向を変更できるよう、ライン方向軸線回りで回転可能に備えられているとよい。【選択図】      図１
2011108489.tif 000002
【特許請求の範囲】
【請求項１】
天井側に水平方向に延びる給電ダクトレールが設けられ、
該給電ダクトレールに、ライン形ＬＥＤモジュールが、ダクトレールの延びる方向に移動可能でかつ鉛直軸線回りで回転可能に、水平に取り付けられ、該ライン形ＬＥＤモジュールは、給電ダクトレールからの給電を受けて発光するようになされていることを特徴とするＬＥＤ照明システム。
【請求項２】
前記ライン形ＬＥＤモジュールが、その照射方向を変更できるよう、ライン方向軸線回りで回転可能に備えられている請求項１に記載のＬＥＤ照明システム。
【発明の詳細な説明】
【技術分野】
【０００１】
本発明は、ＬＥＤ照明システムに関する。
【背景技術】
【０００２】
室内の主照明として用いられるライン形ＬＥＤや直管形蛍光灯は、従来、天井側に固定で取り付けられており、そのため、一度設置すると、その後は動かすことができず、室内のレイアウト変更に対する対応が必ずしも万全とはいえなかった。特に、ライン形ＬＥＤの場合は、光の指向性が強いことから、室内のレイアウトを変更すると、適切な照明状態を得られなくなってしまいやすい。
【先行技術文献】
【特許文献】
【０００３】
【特許文献１】特開２００７−３１７５７５号公報
【特許文献２】特開平７−１９２５２２号公報
【特許文献３】特開２００６−２３６７９６号公報
【発明の概要】
【発明が解決しようとする課題】
【０００４】
本発明は、上記のような問題点に鑑み、室内のレイアウト変更に伴う適切な照明状態の形成を容易に実現することができるＬＥＤ照明システムを提供することを課題とする。
【課題を解決するための手段】
【０００５】
上記の課題は、天井側に水平方向に延びる給電ダクトレールが設けられ、
該給電ダクトレールに、ライン形ＬＥＤモジュールが、ダクトレールの延びる方向に移動可能でかつ鉛直軸線回りで回転可能に、水平に取り付けられ、該ライン形ＬＥＤモジュールは、給電ダクトレールからの給電を受けて発光するようになされていることを特徴とするＬＥＤ照明システムによって解決される（第１発明）。
【０００６】
このシステムでは、室内のレイアウトを変更することで、適切な照明状態が得られなくなってしまった場合、ライン形ＬＥＤモジュールを、ダクトレールの延びる方向に移動したり、鉛直軸線回りで回転したりすることにより、適切な照明状態が得られるようにすることができ、それによって、室内のレイアウト変更に伴う適切な照明状態の形成を容易に実現することができる。
【０００７】
第１発明において、前記ライン形ＬＥＤモジュールが、その照射方向を変更できるよう、ライン方向軸線回りで回転可能に備えられているとよい（第２発明）。この場合は、光の指向性が強いことによって生じる弱点を解消して、壁面や天井面等を照らすことも可能になり、より一層適切な照明状態を形成することができるようになる。
【発明の効果】
【０００８】
本発明のＬＥＤ照明システムは、以上のとおりのものであるから、室内のレイアウト変更に伴う適切な照明状態の形成を容易に実現することができる。
【図面の簡単な説明】
【０００９】
【図１】図（イ）は実施形態のＬＥＤ照明システムの一部断面正面図、図（ロ）及び図（ハ）はそれぞれ給電ダクトレールに対するライン形ＬＥＤモジュールの取付け状態を示す底面図、図（ニ）及び図（ホ）はそれぞれ給電ダクトレールに対するライン形ＬＥＤモジュールの取付け状態を示す一部断面側面図である。
【図２】図（イ）は室内のレイアウト変更前のライン形ＬＥＤモジュールの配置例を示す平面図、図（ロ）は室内のレイアウト変更後のライン形ＬＥＤモジュールの配置例を示す平面図である。
【図３】図（イ）及び図（ロ）はそれぞれ、ライン形ＬＥＤモジュールの移動、回転の例を示す底面図である。
【図４】ライン形ＬＥＤモジュールを特定の態様で移動、回転させた例を示すシステムの一部断面正面図である。
【発明を実施するための形態】
【００１０】
次に、本発明の実施形態を図面に基づいて説明する。
【００１１】
図１に示す実施形態のＬＥＤ照明システムにおいて、１は給電ダクトレール、２はライン形ＬＥＤモジュールである。
【００１２】
給電ダクトレール１は、天井面３に取り付けられた吊りハンガー４に吊られて、天井面３との間に所定の間隔をおいて、水平方向に延ばされている。本実施形態では、図２（イ）（ロ）に示すように、直線状をした複数本の給電ダクトレール１…が、互いに間隔をおいて平行に設けられている。なお、給電ダクトレール１は、天井埋め込み状態に備えられていてもよい。
【００１３】
そして、ライン形ＬＥＤモジュール２は、多数のＬＥＤ光源を直線ライン状に列設したＬＥＤ照明器具からなっていて、図１（イ）に示すように、ライン方向の中央部には給電ダクトレール１とのジョイント部５が備えられ、該ジョイント部５を給電ダクトレール１にジョイントすることにより、給電ダクトレール１からの給電を受けて発光するようになされていると共に、水平に取り付けられるようになされており、その取付け状態において、図１（ロ）に示すように、ダクトレール１の延びる方向にスライド移動させることができると共に、図１（ハ）に示すように、鉛直軸線回りで回転変位させることができるようになされている。
【００１４】
また、本実施形態では、図１（ニ）（ホ）に示すように、ライン形ＬＥＤモジュール２は、その照射方向を変更できるよう、継ぎ手６により、ライン方向軸線回りで振り子状に回転可能となるように給電ダクトレール１に取り付けられていてもよい。なお、図１（ホ）に示すものは、長さ調節パーツ７を備えさせたものである。
【００１５】
上記のＬＥＤ照明システムでは、例えば、事務所用途の室内におけるデスク８…のレイアウトを、図２（イ）に示すレイアウトから、図２（ロ）に示すレイアウトに変更した場合、それに応じて、ライン形ＬＥＤモジュール２…を、ダクトレール１…の延びる方向に移動したり、鉛直軸線回りで回転したりすることにより、適切な照明状態が得られるようにすることができ、また、必要に応じて、使用するライン形ＬＥＤモジュールの数を変更したり、長さ寸法の異なるライン形ＬＥＤモジュールに変更したりすることも併せて行えば、より一層適切な照明状態を得られ、それによって、室内のレイアウト変更に伴う適切な照明状態の形成を容易に実現することができる。
【００１６】
また、図１（ニ）（ホ）に示すような、振り子機能を利用することにより、図４に示すように、壁面９や天井面３に沿う水平方向に向けたライン形ＬＥＤモジュール２…によって該壁面９や天井面３を明るさにムラのない照らし方で照らすことができるし、また、２つのライン形ＬＥＤモジュール２，２を隣り合わせで使用し、一方のライン形ＬＥＤモジュール２でデスク８の上面の照度を確保し、もう一方のライン形ＬＥＤモジュール２でデスク８上のパーテーション１０の垂直面の照度を確保するというようなことも可能である。
【００１７】
更に、図３（イ）に示すように、並列方向において隣り合う給電ダクトレール１，１のうちの一方の給電ダクトレール１に取り付けられているライン形ＬＥＤモジュール２と、もう一方の給電ダクトレール１に取り付けられているライン形ＬＥＤモジュール２とを、いずれも給電ダクトレール１に対して直交する方向に向け、両ライン形ＬＥＤモジュール２，２を直線連続状に配置することができる、あるいは、直線連続状に配置してジョイントすることができるようになっている構成が採用されていてもよい。
【００１８】
また、図３（ロ）に示すように、ライン形ＬＥＤモジュール２を給電ダクトレール１に対して交差する方向に向け、各給電ダクトレールに取り付けられているライン形ＬＥＤモジュール２，２，２を屈折連続状に配置することができる、ないしは、屈折連続状に配置してジョイントすることができるようになっている構成が採用されていてもよい。
【００１９】
以上に、本発明の実施形態を示したが、本発明はこれに限られるものではなく、発明思想を逸脱しない範囲で各種の変更が可能である。例えば、上記の実施形態では、事務所用途の室内のＬＥＤ照明システムに適用した場合を示したが、本発明のＬＥＤ照明システムは、事務所用途に限らず、店舗用途などの各種用途の室内のＬＥＤ照明システムとして用いることができるものである。
【符号の説明】
【００２０】
１…給電ダクトレール
２…ライン形ＬＥＤモジュール
【図１】
2011108489.tif 000003
【図２】
2011108489.tif 000004
【図３】
2011108489.tif 000005
【図４】
2011108489.tif 000006